(57)【要約】【課題】三軸方向に容易に外れないことに加え、開閉構造部に別部品を用いることなく、かつ、簡素な形状であるために製造コストが低い筐体装置を提供する。【解決手段】第１の孔部１１は、第１の壁部１０Ａの端部に隣接した位置に第１の壁部１０Ａの第１の内壁面に対して垂直に穿たれるように形成されている。第１の爪１２は、第１の壁部１０Ａの端部から第１の内壁面に対して平行に延びるように形成されている。第２の孔部２２は、第２の壁部２０Ａの端部に隣接した位置に第２の壁部の第２の内壁面に対して垂直に穿たれるように形成されている。第２の爪２１は、第２の壁部２０Ａの第２の内壁面に立設したリブの端部から第２の壁部２０Ａの第２の内壁面に対して平行に延びるように形成されている。【選択図】図３
2010287896.tif 000002
【特許請求の範囲】
【請求項１】
第１の壁部を含むケース本体と、第２の壁部を含み、前記ケース本体に対して取り外し可能に取り付けられるケースカバーとを有し、
前記第１の壁部は、第１の孔部と、第１の爪とを備え、
前記第２の壁部は、前記第１の孔部に挿入される第２の爪と、前記第１の爪を受容する第２の孔部とを備え、
前記第１の壁部と前記第２の壁部とは、前記ケースカバーが前記ケース本体に取り付けられた際に直角をなして隣り合うものであり、
前記第１の孔部および前記第１の爪は、前記第１の壁部の前記第２の壁部との突き合せ部分にて、該第１の壁部と一体に形成され、
前記第２の爪および前記第２の孔部は、前記第２の壁部の前記第１の壁部との突き合せ部分にて、該第２の壁部と一体に形成されている筐体装置において、
前記第１の孔部は、前記第１の壁部の端部に隣接した位置に該第１の壁部の第１の内壁面に対して垂直に穿たれるように形成され、
前記第１の爪は、前記第１の壁部の前記端部から前記第１の内壁面に対して平行に延びるように形成され、
前記第２の孔部は、前記第２の壁部の端部に隣接した位置に該第２の壁部の第２の内壁面に対して垂直に穿たれるように形成され、
前記第２の爪は、前記第２の壁部の前記第２の内壁面に立設したリブの端部から該第２の壁部の該第２の内壁面に対して平行に延びるように形成されていることを特徴とする筐体装置。
【請求項２】
前記ケースカバーは、前記ケース本体に対してヒンジ機構を介して回動的に取り外し可能に取り付けられ、前記ヒンジ機構は、前記第１の爪および前記第２の孔部によって構成される請求項１に記載の筐体装置。
【請求項３】
第１の壁部を含むケース本体と、第２の壁部を含み、前記ケース本体に対して取り外し可能に取り付けられるケースカバーとを有し、
前記第１の壁部は、第１の孔部と、第１の爪とを備え、
前記第２の壁部は、前記第１の孔部に挿入される第２の爪と、前記第１の爪を受容する第２の孔部とを備え、
前記第１の壁部と前記第２の壁部とは、前記ケースカバーが前記ケース本体に取り付けられた際に直角をなして隣り合うものであり、
前記第１の孔部および前記第１の爪は、前記第１の壁部の前記第２の壁部との突き合せ部分にて、該第１の壁部と一体に形成され、
前記第２の爪および前記第２の孔部は、前記第２の壁部の前記第１の壁部との突き合せ部分にて、該第２の壁部と一体に形成されている筐体装置において、
前記第１の孔部は、前記第１の壁部の端部に隣接した位置に該第１の壁部の第１の内壁面に対して垂直に穿たれるように形成され、
前記第１の爪は、前記第１の壁部の前記第１の内壁面に立設したリブの端部から該第１の壁部の該第１の内壁面に対して平行に延びるように形成され、
前記第２の孔部は、前記第２の壁部の端部に隣接した位置に該第２の壁部の第２の内壁面に対して垂直に穿たれるように形成され、
前記第２の爪は、前記第２の壁部の前記端部から前記第２の内壁面に対して平行に延びるように形成されていることを特徴とする筐体装置。
【請求項４】
前記ケースカバーは、前記ケース本体に対してヒンジ機構を介して回動的に取り外し可能に取り付けられ、前記ヒンジ機構は、前記第１の孔部および前記第２の爪によって構成される請求項３に記載の筐体装置。
【請求項５】
前記ケースカバーを前記ケース本体に対して解除可能に固定するネジ留め構造を有する請求項１乃至４のいずれか１つに記載の筐体装置。
【請求項６】
請求項１乃至５のいずれか１つに記載の前記筐体装置と、該筐体装置内に収容された電気的動作なす電気部品とを有することを特徴とする電子機器。
【発明の詳細な説明】
【技術分野】
【０００１】
本発明は、電子機器を含む各種機器の筐体装置に関し、特に、ケース本体と、ケース本体に対して取り外し可能に取り付けられるケースカバーとを有する筐体装置に関する。
【背景技術】
【０００２】
一般に、この種の筐体装置は、製造工程の段階で様々な電子部品や機構を組み込んだり修理点検を行うために、ケース本体をケースカバーで閉塞および開放するようになっている。ケース本体に対してケースカバーの開閉構造は、三軸方向に容易に外れないことに加え、製造コストおよび使用作業性に優れていることが望まれる。
【０００３】
図１は、筐体装置の第１の従来例を示す。この筐体装置においては、ケース本体１１０と、ケース本体１１０に対して取り外し可能に取り付けられるケースカバー１２０とを有している。ケースカバー１２０は、軸ピン１３０およびピン止め１４０を含むヒンジ構造を介して、ケース本体１１０に対して矢印ＯＰおよびＣＬ方向に回動的に開閉可能に取り付けられている。ケースカバー１２０は、ピン止め１４０および軸ピン１３０を取り外すことにより、ケース本体１１０から取り外される。
【０００４】
図２は、筐体装置の第２の従来例を示す。この筐体装置においては、ケース本体２１０と、ケース本体２１０に対して取り外し可能に取り付けられるケースカバー２２０とを有している。ケース本体２１０は、第１の凹部２１１と、第１の爪２１２とを備えている。ケースカバー２２０は、第１の凹部２１１に挿入される第２の爪２２１と、第１の爪２１２を受容する第２の凹部（孔部）２２２とを備えている。ケースカバー２２０は、ケース本体２１０に対して開閉可能に取り付けられている。ケースカバー２２０は、第１の凹部２１１と第２の爪２２１との係合ならびに第１の爪２１２と第２の孔部２２２との係合によって、ケース本体２１０に対して取り付けられる。尚、ケースカバー２２０がＺ方向に容易に外れないようにするために、ケースカバーにはリブ２３０が形成されている。
【０００５】
特許文献１にも、この種の筐体装置が開示されている。この筐体装置においては、ケース本体と、ケース本体に対して取り外し可能に取り付けられるケースカバーとを有している。ケース本体は、孔部を備えている。ケースカバーには、孔部に挿入されるフック金具が取り付けられている。ケースカバーは、回動支点を中心にして、ケース本体に対して開閉可能に取り付けられている。ケースカバーは、孔部とフック金具との係合によって、ケース本体に対して取り付けられる。ケースカバーは、回動支点を中心にしてケース本体に対して開かれることにより、ケース本体から取り外される。
【先行技術文献】
【特許文献】
【０００６】
【特許文献１】特開平１０−３１３１８１号公報
【発明の概要】
【発明が解決しようとする課題】
【０００７】
第１の従来例は、ヒンジ構造の形状が複雑であると共に部品数が多く、製造コストが高いと共に、開閉の操作性に劣っている。
【０００８】
第２の従来例は、ケースカバーがＺ方向で容易に外れないようにするためのリブを備えているため、形状が複雑であり、製造コストが高い。
【０００９】
特許文献１に開示された例は、フック金具を有しているため、部品数が多く、製造コストが高い。
【００１０】
それ故、本発明の課題は、三軸方向に容易に外れないことに加え、製造コストが低く、使用作業性に優れている筐体装置を提供することである。
【課題を解決するための手段】
【００１１】
本発明によれば、第１の壁部を含むケース本体と、第２の壁部を含み、前記ケース本体に対して取り外し可能に取り付けられるケースカバーとを有し、前記第１の壁部は、第１の孔部と、第１の爪とを備え、前記第２の壁部は、前記第１の孔部に挿入される第２の爪と、前記第１の爪を受容する第２の孔部とを備え、前記第１の壁部と前記第２の壁部とは、前記ケースカバーが前記ケース本体に取り付けられた際に直角をなして隣り合うものであり、前記第１の孔部および前記第１の爪は、前記第１の壁部の前記第２の壁部との突き合せ部分にて、該第１の壁部と一体に形成され、前記第２の爪および前記第２の孔部は、前記第２の壁部の前記第１の壁部との突き合せ部分にて、該第２の壁部と一体に形成されている筐体装置において、前記第１の孔部は、前記第１の壁部の端部に隣接した位置に該第１の壁部の第１の内壁面に対して垂直に穿たれるように形成され、前記第１の爪は、前記第１の壁部の前記端部から前記第１の内壁面に対して平行に延びるように形成され、前記第２の孔部は、前記第２の壁部の端部に隣接した位置に該第２の壁部の第２の内壁面に対して垂直に穿たれるように形成され、前記第２の爪は、前記第２の壁部の前記第２の内壁面に立設したリブの端部から該第２の壁部の該第２の内壁面に対して平行に延びるように形成されていることを特徴とする筐体装置が得られる。
【００１２】
前記ケースカバーは、前記ケース本体に対してヒンジ機構を介して回動的に取り外し可能に取り付けられ、前記ヒンジ機構は、前記第１の爪および前記第２の孔部によって構成されてもよい。
【００１３】
本発明によればまた、第１の壁部を含むケース本体と、第２の壁部を含み、前記ケース本体に対して取り外し可能に取り付けられるケースカバーとを有し、前記第１の壁部は、第１の孔部と、第１の爪とを備え、前記第２の壁部は、前記第１の孔部に挿入される第２の爪と、前記第１の爪を受容する第２の孔部とを備え、前記第１の壁部と前記第２の壁部とは、前記ケースカバーが前記ケース本体に取り付けられた際に直角をなして隣り合うものであり、前記第１の孔部および前記第１の爪は、前記第１の壁部の前記第２の壁部との突き合せ部分にて、該第１の壁部と一体に形成され、前記第２の爪および前記第２の孔部は、前記第２の壁部の前記第１の壁部との突き合せ部分にて、該第２の壁部と一体に形成されている筐体装置において、前記第１の孔部は、前記第１の壁部の端部に隣接した位置に該第１の壁部の第１の内壁面に対して垂直に穿たれるように形成され、前記第１の爪は、前記第１の壁部の前記第１の内壁面に立設したリブの端部から該第１の壁部の該第１の内壁面に対して平行に延びるように形成され、前記第２の孔部は、前記第２の壁部の端部に隣接した位置に該第２の壁部の第２の内壁面に対して垂直に穿たれるように形成され、前記第２の爪は、前記第２の壁部の前記端部から前記第２の内壁面に対して平行に延びるように形成されていることを特徴とする筐体装置が得られる。
【００１４】
前記ケースカバーは、前記ケース本体に対してヒンジ機構を介して回動的に取り外し可能に取り付けられ、前記ヒンジ機構は、前記第１の孔部および前記第２の爪によって構成されてもよい。
【００１５】
前記ケースカバーを前記ケース本体に対して解除可能に固定するネジ留め構造を有していてもよい。
【００１６】
また、本発明によれば、前記筐体装置と、該筐体装置内に収容された電気的動作なす電気部品とを有することを特徴とする電子機器が得られる。
【発明の効果】
【００１７】
本発明による筐体装置は、三軸方向に容易に外れないことに加え、開閉構造部に別部品を用いることなく、かつ、簡素な形状であるために製造コストが低い。
【図面の簡単な説明】
【００１８】
【図１】第１の従来例による筐体装置を示す斜視図である。
【図２】（ａ）〜（ｃ）は第２の従来例による筐体装置を示す図であり、（ａ）は断面図、（ｂ）は側面図、（ｃ）は部分的な拡大図である。
【図３】（ａ）〜（ｄ）は本発明の実施例１による筐体装置を示す図であり、（ａ）は断面図、（ｂ）は側面図、（ｃ）および（ｄ）は部分的な拡大図である。
【図４】（ａ）〜（ｃ）は本発明の実施例１による筐体装置の開閉作業を説明するための図であり、（ａ）および（ｂ）は斜視図、（ｃ）は部分的な拡大図である。
【図５】（ａ）〜（ｄ）は本発明の実施例１による筐体装置におけるケース本体を示す図であり、（ａ）は平面図、（ｂ）および（ｃ）は側面図、（ｄ）は断面図である。
【図６】（ａ）〜（ｅ）は本発明の実施例１による筐体装置におけるケースカバーを示す図であり、（ａ）、（ｃ）、および（ｅ）は側面図、（ｂ）は平面図、（ｄ）は底面図である。
【図７】本発明の他の実施例２による筐体装置を示す図であり、（ａ）は断面図、（ｂ）は部分的な拡大図である。
【発明を実施するための形態】
【００１９】
以下、図面を参照して、本発明の実施例による筐体装置について詳細に説明する。
【実施例１】
【００２０】
図３（ａ）〜（ｄ）、図４（ａ）〜（ｃ）、図５（ａ）〜（ｄ）、ならびに図６（ａ）〜（ｅ）を参照すると、本発明の実施例１による筐体装置は、第１の壁部１０Ａを含むケース本体１０と、第２の壁部２０Ａを含み、ケース本体１０に対して取り外し可能に取り付けられるケースカバー２０とを有している。ケース本体１０およびケースカバー２０はどちらも、樹脂から成り、射出成形によって成形されている。
【００２１】
第１の壁部１０Ａは、第１の凹部（孔部）１１と、第１の爪１２とを備えている。第２の壁部２０Ａは、第１の凹部１１に挿入される第２の爪２１と、第１の爪１２を受容する第２の凹部（孔部）２２とを備えている。
【００２２】
本筐体装置においては特に、第１の壁部１０Ａと第２の壁部２０Ａとは、ケースカバー２０がケース本体１０に取り付けられた際に、直角をなして隣り合うものである。
【００２３】
第１の凹部１１および第１の爪１２は、第１の壁部１０Ａの第２の壁部２０Ａとの突き合せ部分にて、第１の壁部１０Ａと一体に形成されている。第２の爪２１および第２の凹部２２は、第２の壁部２０Ａの第１の壁部１０Ａとの突き合せ部分にて、第２の壁部２０Ａと一体に形成されている。
【００２４】
より詳しくいえば、第１の凹部１１は、第１の壁部１０Ａの端部に隣接した位置に第１の壁部１０Ａの第１の内壁面に対して垂直に穿たれるように形成されている。第１の爪１２は、第１の壁部１０Ａの端部から第１の内壁面に対して平行に延びるように形成されている。第２の爪２１は、第２の壁部２０Ａの第２の内壁面に立設したリブの端部から第２の壁部２０Ａの内壁面に対して平行に延びるように形成されている。第２の凹部２２は、第２の壁部２０Ａの端部に隣接した位置に第２の内壁面に対して垂直に穿たれるように形成されている。
【００２５】
ケースカバー２０は、ケース本体１０に対してヒンジ機構を介して回動的に取り外し可能に取り付けられている。このヒンジ機構は、第１の爪１２および第２の凹部２２によって構成されている。このヒンジ機構は、図３（ｃ）および（ｄ）に示された回動支点ＧＣを持っている。
【００２６】
本筐体装置の寸法軸を図４（ｂ）のように規定する。第１の凹部１１と第２の爪２１との係合は、ケースカバー２０がケース本体１０に対して方向ＸおよびＺに動くことを規制する。また、第２の凹部２２と第１の爪１２との係合は、ケースカバー２０がケース本体１０に対して方向ＸおよびＹに動くことを規制する。したがって、ケースカバー２０は、三軸方向Ｘ、Ｙ、およびＺいずれにも、ケース本体１０から容易に外れることがない。
【００２７】
さらに、ネジ３０を用いて、ケースカバー２０は、ケース本体１０に確実に固定されるようにすることが可能である。
【００２８】
本筐体装置の開閉作業について、以下に説明する。
【００２９】
図５（ａ）〜（ｄ）に示されたケース本体１０と、図６（ａ）〜（ｅ）に示されたケースカバー２０とが、図４（ａ）に示されるように用意される。図示はされていないが、ケース本体１０内には、電子回路等の電気部品が取り付けられている。
【００３０】
図３（ｄ）に示されるように、第２の爪２１が第１の凹部１１に挿入されると共に、第１の爪１２が第２の凹部２２に挿入される。さらに、ケースカバー２０がケース本体１０に対して回動支点ＧＣを中心にして矢印ＣＬ方向に回動的に閉じられる。
【００３１】
図３（ｃ）に示されるように、第２の爪２１が第１の凹部１１に既に挿入されると共に、第１の爪１２が第２の凹部２２に既に挿入されている。さらに、図４（ｂ）に示されるように、ケースカバー２０は、ケース本体１０に対して、ネジ３０を用いて固定される。
【００３２】
図４（ｂ）に示された本筐体装置のケース本体１０内の電気部品のメインテナンスをする際には、ネジ３０が外される。さらに、図３（ｄ）に示されるように、ケースカバー２０がケース本体１０に対して回動支点ＧＣを中心にして矢印ＯＰ方向に回動的に開けられる。さらに、図４（ａ）に示されるように、ケースカバー２０は、ケース本体１０に対して、取り外される。
【実施例２】
【００３３】
次に、図７（ａ）および（ｂ）を参照すると、本発明の実施例２による筐体装置も、実施例１と同様に、第１の壁部１０Ａを含むケース本体１０と、第２の壁部２０Ａを含み、ケース本体１０に対して取り外し可能に取り付けられるケースカバー２０とを有している。ケース本体１０およびケースカバー２０はどちらも、樹脂から成り、射出成形によって成形されている。
【００３４】
第１の壁部１０Ａは、第１の凹部（孔部）１１と、第１の爪１２とを備えている。第２の壁部２０Ａは、第１の凹部１１に挿入される第２の爪２１と、第１の爪１２を受容する第２の凹部（孔部）２２とを備えている。
【００３５】
本筐体装置においても、第１の壁部１０Ａと第２の壁部２０Ａとは、ケースカバー２０がケース本体１０に取り付けられた際に、直角をなして隣り合うものである。
【００３６】
第１の凹部１１および第１の爪１２は、第１の壁部１０Ａの第２の壁部２０Ａとの突き合せ部分にて、第１の壁部１０Ａと一体に形成されている。第２の爪２１および第２の凹部２２は、第２の壁部２０Ａの第１の壁部１０Ａとの突き合せ部分にて、第２の壁部２０Ａと一体に形成されている。
【００３７】
より詳しくいえば、第１の凹部１１は、第１の壁部１０Ａの端部に隣接した位置に第１の壁部１０Ａの第１の内壁面に対して垂直に穿たれるように形成されている。第１の爪１２は、第１の壁部１０Ａの第１の内壁面に立設したリブの端部から第１の壁部１０Ａの内壁面に対して平行に延びるように形成されている。第２の爪２１は、第２の壁部２０Ａの端部から第２の内壁面に対して平行に延びるように形成されている。第２の凹部２２は、第２の壁部２０Ａの端部に隣接した位置に第２の内壁面に対して垂直に穿たれるように形成されている。
【００３８】
ケースカバー２０は、ケース本体１０に対してヒンジ機構を介して回動的に取り外し可能に取り付けられている。このヒンジ機構は、第１の凹部１１および第２の爪２１によって構成されている。このヒンジ機構は、図７（ｂ）に示された回動支点ＧＣを持っている。
【００３９】
本筐体装置の寸法軸を図のように規定する。第１の凹部１１と第２の爪２１との係合は、ケースカバー２０がケース本体１０に対して方向ＸおよびＺに動くことを規制する。また、第２の凹部２２と第１の爪１２との係合は、ケースカバー２０がケース本体１０に対して方向ＸおよびＹに動くことを規制する。したがって、ケースカバー２０は、三軸方向Ｘ、Ｙ、およびＺいずれにも、ケース本体１０から容易に外れることがない。
【００４０】
さらに、ケースカバー２０は、図示はしないが、実施例１と同様にネジを用いて、ケース本体１０に確実に固定されてもよい。
【００４１】
尚、本筐体装置の開閉作業も、実施例１と同様に行うことが可能である。
【産業上の利用可能性】
【００４２】
以上説明した実施例に限定されることなく、本発明は、当該特許請求の範囲に記載された技術範囲内であれば、種々の変形が可能であることは云うまでもない。
【００４３】
例えば、本筐体装置は、情報処理機器、通信機器、および家電機器等の種々の電子機器に適用可能である。ケース本体１０に収容される電気部品としては、メインテナンスが必要な電子部品だけではなく、交換を要する電池等であってもよい。
【符号の説明】
【００４４】
１０、１１０、２１０    ケース本体
１０Ａ  第１の壁部
１１、２１１    第１の凹部（孔部）
１２、２１２    第１の爪
２０、１２０、２２０    ケースカバー
２０Ａ  第２の壁部
２１、２２１    第２の爪
２２、２２２    第２の凹部（孔部）
３０    ネジ
１３０    軸ピン
１４０    ピン止め
【図１】
2010287896.tif 000003
【図２】
2010287896.tif 000004
【図３】
2010287896.tif 000005
【図４】
2010287896.tif 000006
【図５】
2010287896.tif 000007
【図６】
2010287896.tif 000008
【図７】
2010287896.tif 000009